(57)【要約】      （修正有）【課題】受止部を筒体に対して回動させることで、筒体の上端から天面までの深さを容易に変更させることができると共に、受止部の筒体に対する回動を停止することで、深さが変更された天面を所望の深さで保持することができるホールカップを提供する。【解決手段】ホールカップ１０１は、フラッグスティックを立てることができるホールカップ１０１であって、上端が開口されてなる円筒状の筒体１１０と、筒体１１０の内側に設けられてなり、ボールを受け止める天面１３５を有してなる受止部１３０と、受止部１３０よりも下側で筒体１１０に設けられてなる底部１２０とを備えてなり、受止部１３０の下側面の中心には、下方へ突出する第一ねじ部１４１が設けられてなり、底部１２０には、第一ねじ部１４１と螺合された第二ねじ部１４６が設けられてなる。【選択図】図１
0003226460.tif 000002
【実用新案登録請求の範囲】
【請求項１】
フラッグスティックを立てることができるホールカップであって、
上端が開口されてなる円筒状の筒体と、
前記筒体の内側に設けられてなり、ボールを受け止める天面を有してなる受止部と、
前記受止部よりも下側で前記筒体に設けられてなる底部とを備えてなり、
前記受止部の下側面の中心には、下方へ突出する第一ねじ部が設けられてなり、
前記底部には、前記第一ねじ部と螺合された第二ねじ部が設けられてなる
ことを特徴とするホールカップ。
【請求項２】
前記第一ねじ部は雄ねじであって、前記第二ねじ部は雌ねじである
ことを特徴とする請求項１に記載のホールカップ。
【請求項３】
前記雌ねじは、前記底部を上下方向に貫通してなる貫通孔に形成されてなる
ことを特徴とする請求項２に記載のホールカップ。
【請求項４】
さらに、
前記貫通孔の下端から突出した前記雄ねじに対して螺合されたナット部品を備える
ことを特徴とする請求項３に記載のホールカップ。
【考案の詳細な説明】
【技術分野】
【０００１】
本考案は、ゴルフ、パターゴルフ、マレットゴルフ等で使用されるホールカップに関する。
【背景技術】
【０００２】
一般に、ゴルフ等のスポーツでは、ゴールであるホールにホールカップが用いられる。また、ホールカップは、上端縁が土に埋設されると共に、その土の上にも芝が育成されている。またさらに、ホールカップの中心にはフラッグスティックが立設されてなる。また、ホールカップの深さは厳密に規則で定められている場合がある。
【先行技術文献】
【特許文献】
【０００３】
【特許文献１】特開平６−２７７３１９号公報
【考案の概要】
【考案が解決しようとする課題】
【０００４】
しかしながら、ホールカップの上端縁が土に埋設され、かつ、その土の上にも芝が育成されていることから、ホールカップの中からボールを取り出す際に手やボールが土や芝に触れて、土が崩れたり、芝が傷んだりすることがある。これらのことは、良好なプレー環境を提供するための問題となっていた。さらに、フラッグスティックが立設された状態でボールを取る際には、フラッグスティックの外周とホールカップの内周との間の隙間が狭く、ホールカップに手を入れる幅があまりないことから、これらの問題が特に顕在化することとなる。
【課題を解決するための手段】
【０００５】
そこで、上記課題を解決するための手段として本考案に係るホールカップは、フラッグスティックを立てることができるホールカップであって、上端が開口されてなる円筒状の筒体と、前記筒体の内側に設けられてなり、ボールを受け止める天面を有してなる受止部と、前記受止部よりも下側で前記筒体に設けられてなる底部とを備えてなり、前記受止部の下側面の中心には、下方へ突出する第一ねじ部が設けられてなり、前記底部には、前記第一ねじ部と螺合された第二ねじ部が設けられてなることを特徴とする。
【０００６】
「ボールを受け止める」とは、前記筒体の上方からボールが前記筒体の内部に落下した際に、ボールが前記筒体の下端まで落ちるのを防止してボールを受け止めることをいう。
【０００７】
「天面」は、例えば平坦な面などと限定して解釈されるものではなく、ボールを受け止める限度において、様々な形状の面を採用することができる。
【０００８】
「受止部」は、前記天面と別部材として構成されてもよく、又は、前記天面のみからなるものであってもよい。すなわち、前記受止部は、前記天面と別体として構成されることを要するものではない。
【０００９】
「底部」は、前記受止部の下側で、前記筒体に固定されてなるものであればよく、形状を特定して限定解釈されるものではない。例えば、底部の中心に孔が形成されてなる円環状の平板であってもよく、前記受止部の下側に設けられた梁状のものであってもよい。
【００１０】
「第一ねじ部」は、前記受止部の下側面の中心に配設されてなり、下方へ突出するねじ体であればよく、雄ねじであるか、雌ねじであるかについて、限定して解釈されるものではない。
なお、中心とは、厳密に中心である必要はなく、受止部を第一ねじ部を軸として筒体内部で回動させることができる程度に中心付近であればよい。
【００１１】
「第二ねじ部」は、前記底部に設けられてなるねじ体であって、前記第一ねじ部と螺合可能であればよく、雄ねじであるか、雌ねじであるかについて、限定して解釈されるものではない。
【００１２】
上記構成を備えるホールカップは、前記筒体の上端から前記天面までの深さを容易に変更させることができる。さらに、深さが変更された前記天面を所望の深さで保持することができる。
すなわち、上記構成を備えるホールカップは、前記受止部の下側面の中心には、下方へ突出する前記第一ねじ部が設けられてなる。さらに、前記底部には、前記第一ねじ部と螺合された前記第二ねじ部が設けられてなる。
前記第一ねじ部が前記受止部の下側面の中心にあることから、前記第一ねじ部を回動軸として前記受止部を前記筒体に対して回動させることで、前記第一ねじ部と前記第二ねじ部とが緩められたり、締められたりする。これによって、前記第一ねじ部と前記第二ねじ部とが緩められた場合には、前記第一ねじ部と接続されてなる前記受止部は上方向に移動する。対して、前記第一ねじ部と前記第二ねじ部とが締められた場合には、前記第一ねじ部と接続されてなる前記受止部は下方向に移動する。
これによって、例えば工具を用いて前記第一ねじ部を直接回す必要が無く、前記受止部を前記筒体に対して回動させることで、前記上端から前記天面までの深さを容易に変更させることができる。さらに、前記受止部の前記筒体に対する回動を停止することで、深さが変更された前記天面を所望の深さで保持することができる。
【００１３】
これによって、前記上端から前記天面までの深さが浅い位置で前記天面を保持した場合にあっては、前記フラッグスティックが立てられた状態のままであっても、前記筒体の内側に入ったボールを容易に取り出すことができる。
そのため、ホールカップの中からボールを取り出す際に手が土や芝に触れて、土が崩れたり、若しくは芝が傷んだりすることを抑制することができる。
【００１４】
前記第一ねじ部は雄ねじであって、前記第二ねじ部は雌ねじであることとしてもよい。
【００１５】
前記雌ねじは、前記底部を上下方向に貫通してなる貫通孔に形成されてなることとしてもよい。
【００１６】
さらに、前記貫通孔の下端から突出した前記雄ねじに対して螺合されたナット部品を備えることとしてもよい。
【００１７】
「ナット部品」とは、第一ねじ部である雄ねじと螺合可能に形成されてなる雌ねじであって、雄ねじに対して相対回転可能に形成されたものをいう。
【００１８】
前記ナット部品を備える構成にあっては、前記ナット部品の締付けによって、前記雄ねじのねじ山と前記ナット部品のねじ山との接触面に摩擦力が生じる。これによって、前記雄ねじの緩み止め効果が奏されて、前記天面の深さを保持することがさらに確実となる。
【考案の効果】
【００１９】
本考案に係るホールカップは、前記上端から前記天面までの深さを容易に変更させることができる。さらに、深さが変更された前記天面を所望の深さで保持することができる。
すなわち、上記構成を備えるホールカップは、前記受止部の下側面の中心には、下方へ突出する前記第一ねじ部が設けられてなる。さらに、前記底部には、前記第一ねじ部と螺合された前記第二ねじ部が設けられてなる。
前記第一ねじ部が前記受止部の下側面の中心にあることから、前記第一ねじ部を回動軸として前記受止部を前記筒体に対して回動させることで、前記第一ねじ部と前記第二ねじ部とが緩められたり、締められたりする。これによって、前記第一ねじ部と前記第二ねじ部とが緩められた場合には、前記第一ねじ部と接続されてなる前記受止部は上方向に移動する。対して、前記第一ねじ部と前記第二ねじ部とが締められた場合には、前記第一ねじ部と接続されてなる前記受止部は下方向に移動する。
これによって、例えば工具を用いて前記第一ねじ部を直接回す必要が無く、前記受止部を前記筒体に対して回動させることで、前記上端から前記天面までの深さを容易に変更させることができる。さらに、前記受止部の前記筒体に対する回動を停止することで、深さが変更された前記天面を所望の深さで保持することができる。
【００２０】
これによって、前記筒体の上端から前記天面までの深さがボールを拾い上げる際に手がホールカップの上端縁上の土若しくは芝に触れない程度となるように、前記天面の位置を変更して保持すれば、前記フラッグスティックが立てられた状態のままであっても、前記筒体の内側に入ったボールを容易に取り出すことができる。
これによって、ホールカップの中からボールを取り出す際に手が土や芝に触れて、土が崩れたり、若しくは芝が傷んだりすることを抑制することができる。
【図面の簡単な説明】
【００２１】
【図１】実施形態に係るホールカップ１０１の筒体１１０の正面側の壁面を切断した断面図である。
【図２】実施形態に係るホールカップ１０１の平面図である。
【図３】実施形態に係るホールカップ１０１の筒体１１０の上端から天面１３５までの深さを深くした状態の断面図である。
【図４】実施形態に係るホールカップ１０１の筒体１１０の上端から天面１３５までの深さを浅くした状態の断面図である。
【図５】実施形態に係るホールカップ１０１のナット部品１６０の螺合状体を示す拡大断面図である。
【図６】実施形態における課題を説明するための概念図である。（ａ）はボールを拾おうとしている状態を、（ｂ）はボールを拾い上げる際に手が土に触れている状態をそれぞれ表す。
【考案を実施するための形態】
【００２２】
以下、本考案に係る実施の形態を、図を参照しながら詳しく説明する。なお、本明細書及び図面において、実質的に同一の機能構成を有する構成要素については、同一の符号を付することにより重複説明を省略する。
【００２３】
（ゴルフをプレーする際の問題点）
例えば、ゴルフをプレーする際には、以下の問題点が存在した。
２０１９年１月施行に係るゴルフ規則において、規則１３．２ａでは、「プレーヤーは旗竿をホールに立てたままにすることができる」とされている。したがって、特に、グリーンにおけるパッティングの際に、旗竿（以下では、フラッグスティックＦという。）をホールに立てたままの状態でパッティングを行うと、フラッグスティックＦが立てられたままのホールカップの中にボールが入ることとなる。
【００２４】
２０１９年１月施行に係るゴルフ規則においては、ホールは直径１０８ｍｍで、深さは少なくとも１０１．６ｍｍであることが規定されている。また、ボールの直径は４２．６７ｍｍ以上と定められている。
これにより、ホールにフラッグスティックＦが立てられた状態では、平面視においてフラッグスティックＦの外周面とホールカップの内周面との距離はボールの直径とほとんど同じ距離となる。
【００２５】
またさらに、ゴルフのプレーに際してホールカップを使用する場合は、ホールカップの上端をグリーンの面よりも２５．４ｍｍ沈めなければならないこととなっている。
【００２６】
上述した規則に従い、ホールカップを設置した場合、図６（ａ）に示すように、ボールがホールカップの天面が存在する位置まで落下すると、ボールを手で拾い上げるのが困難となる。これは、フラッグスティックＦの外周面とホールカップの内周面との距離が短く、手をホールカップの中に挿入して、ボールを拾い上げる幅が狭いことによるものである。
【００２７】
例えば、図６（ｂ）に示すように、無理やりホールカップの中に手を挿入してボールを拾い上げる場合、プレーヤーの手若しくは拾い上げられたボールが、ホールカップの上端の上に被さった土や、当該土の上に設けられた芝に当接するという事態が生じる。
この場合には、ホールカップの上端の上に被さった土が崩れてしまうということや、芝に傷が付くということがある。
【００２８】
ゴルフのプレーにおいては、パッティングは、芝の上を低速でボールを転がす必要があることから、ホールカップの上方における土や芝が崩れたり、傷がついた場合には、芝のコンディションがボールの軌道に影響して、ホールカップの手前でボールの軌道が変わってしまうという、忌避すべき問題が生ずることとなる。
【００２９】
（実施形態）
実施形態に係るホールカップ１０１は、フラッグスティックを立てることができるホールカップ１０１であって、上端が開口されてなる円筒状の筒体１１０と、筒体１１０の内側に設けられてなり、ボールを受け止める天面１３５を有してなる受止部１３０と、受止部１３０よりも下側で筒体１１０に設けられてなる底部１２０とを備えてなり、受止部１３０の下側面の中心には、下方へ突出する第一ねじ部１４１が設けられてなり、底部１２０には、第一ねじ部１４１と螺合された第二ねじ部１４６が設けられてなる。
【００３０】
筒体１１０は、上述の通り、上端が開口されてなる円筒状に構成されてなる。さらに、筒体１１０は、受止部１３０よりも下側で筒体１１０に設けられてなる底部１２０を備える。また、筒体１１０は、下端から上端までの長さ、即ち上下方向の長さが１６０ｍｍに形成されてなる。また、筒体１１０は、下端から上端に亘って同じ径に形成されてなる。また、筒体１１０は、外径が１０８ｍｍに形成されてなり、内径が１０４ｍｍに形成されてなる。
【００３１】
底部１２０は、円盤状の底板に形成されてなる。底部１２０は、外周が筒体１１０の内周面と接続されてなる。底部１２０は、筒体１１０の下端から５０ｍｍの位置において、内周面と接続されてなる。また、底部１２０は、筒体１１０に固定されてなる。底部１２０の平面視中心には、第一ねじ部１４１が螺合される第二ねじ部１４６が設けられてなる。
【００３２】
受止部１３０は、上述の通り、天面１３５を有してなる。受止部１３０は、受止本体部１３１を有してなる。また、受止本体部１３１は、円柱状に形成されてなる。さらに、受止部１３０は、受止部１３０の下側面の底面視中心から、下方に突出する第一ねじ部１４１を有する。
受止部１３０は、上下方向に貫通するスティック孔１３６が形成されてなる。スティック孔１３６は、フラッグスティックを挿入することができるように形成されてなる。より具体的には、スティック孔１３６は、フラッグスティックの径よりも僅かに大きい内径の孔が受止部１３０の上端から、第一ねじ部１４１の軸心を通って、第一ねじ部１４１の下端まで貫通してなる。なお、スティック孔１３６は、平面視における受止部１３０の中心で、鉛直方向に形成されてなる。
【００３３】
天面１３５は、受止部１３０の上端の面に形成されてなる。天面１３５は、中心にスティック孔１３６が形成されたドーナツ形状に形成されてなる。天面１３５の外周と筒体１１０の内周との間にはボールの直径よりも小さい隙間が環状に形成されてなる。
【００３４】
第一ねじ部１４１は、雄ねじ１４２である。さらに、第一ねじ部１４１は、筒状に形成されてなる。また、筒内部がスティック孔１３６の一部となっている。さらに、第一ねじ部１４１の外周面には、ねじ山が形成されてなる。また、第一ねじ部１４１は、受止部１３０の下側面の底面視中心から、下方に突出してなる。
【００３５】
第二ねじ部１４６は、雌ねじ１４７である。さらに、第二ねじ部１４６は、底部１２０を上下方向に貫通して形成されてなる。すなわち、底部１２０には、第二ねじ部１４６としての鉛直方向の貫通孔１２１が形成されてなる。また、第二ねじ部１４６は、当該貫通孔１２１の周面に第一ねじ部１４１と螺合可能なねじ山が形成されてなる。また、第二ねじ部１４６は、底部１２０の底面視中心に配設されてなる
また、第二ねじ部１４６は、第一ねじ部１４１が上方から下方に向って差し込まれてなる。さらに、第一ねじ部１４１と第二ねじ部１４６とは螺合されてなる。
【００３６】
さらに、ホールカップ１０１は、貫通孔１２１の下方から突出した第一ねじ部１４１に対して螺合されたナット部品１６０を備える。
【００３７】
ナット部品１６０は、第二ねじ部１４６と同径に形成されてなる孔が形成されてなるナットである。ナット部品１６０は、第一ねじ部１４１と螺合可能に構成されてなる。ナット部品１６０は、第一ねじ部１４１と相対回転可能に形成されてなる。また、ナット部品１６０は、第一ねじ部１４１との螺合を解除した際に、ホールカップ１０１とは別体として取り外し可能に構成されてなる。
【００３８】
上述した実施形態に係るホールカップ１０１によれば、以下の作用・効果を奏する。
【００３９】
実施形態に係るホールカップ１０１によれば、筒体１１０の上端から天面１３５までの深さを容易に変更させることができる。さらに、深さが変更された天面１３５を所望の深さで保持することができる。
【００４０】
すなわち、実施形態に係るホールカップ１０１は、受止部１３０の下側面の中心に、下方へ突出する第一ねじ部１４１が設けられてなる。さらに底部１２０には、第一ねじ部１４１と螺合された第二ねじ部１４６が設けられてなる。
第一ねじ部１４１が受止部１３０の下側面の中心にあることから、第一ねじ部１４１を回動軸として受止部１３０を筒体１１０に対して回動させることで、第一ねじ部１４１と第二ねじ部１４６とが緩められたり、締められたりする。これによって、第一ねじ部１４１と第二ねじ部１４６とが緩められた場合には、第一ねじ部１４１と接続されてなる受止部１３０は上方向に移動する。対して、第一ねじ部１４１と第二ねじ部１４６とが締められた場合には、第一ねじ部１４１と接続されてなる受止部１３０は下方向に移動する。
これによって、例えば工具を用いて第一ねじ部１４１を直接回す必要が無く、受止部１３０を筒体１１０に対して回動させることで、筒体１１０の上端から天面１３５までの深さを容易に変更させることができる。さらに、受止部１３０の筒体１１０に対する回動を停止することで、深さが変更された天面１３５を所望の深さで保持することができる。
【００４１】
これによって、筒体１１０の上端から天面１３５までの深さがボールを拾い上げる際に手がホールカップ１０１の上端縁上の土若しくは芝に触れない程度となるように、天面１３５の位置を変更して保持すれば、フラッグスティックが立てられた状態のままであっても、筒体１１０の内側に入ったボールを容易に取り出すことができる。
これによって、ホールカップ１０１の中からボールを取り出す際に手が土や芝に触れて、土が崩れたり、若しくは芝が傷んだりすることを抑制することができる。
【００４２】
また、実施形態に係るホールカップ１０１は、天面１３５の深さを確実に保持することができる。
【００４３】
すなわち、実施形態に係るホールカップ１０１は、貫通孔１２１の下方から突出した第一ねじ部１４１に対して螺合されたナット部品１６０を備える。さらに、ナット部品１６０は、第一ねじ部１４１と相対回転可能に形成されてなる。
ナット部品１６０が第一ねじ部１４１と相対回転可能であることから、ナット部品１６０を第一ねじ部１４１に対して締め付けることで、第一ねじ部１４１のねじ山とナット部品１６０のねじ山との間に摩擦力が生じる。
これによって、第一ねじ部１４１材の緩み止め効果が奏されて、天面１３５の深さを確実に保持することができる。
【００４４】
またさらに、実施形態に係るホールカップ１０１によれば、ルール等によって、天面１３５を所定の深さで保持する必要がある場合に、受止部１３０を第一ねじ部１４１を回動軸として軸回転させることで、受止部１３０を底部１２０に近接する方向へと移動させて、所望の位置で受止部１３０を保持することで、前記ルールへの対応が可能となる。
【００４５】
（変形例）
以下では、本考案に係るホールカップ１０１を実施する者が適宜変更することができる事項について、例示する。なお、ここでの例示は、本考案に係るホールカップ１０１の変形例の一部を示すにすぎない。したがって、これ以外の変形が本考案の技術的範囲に属しないという解釈をすることはできない。
【００４６】
例えば、天面１３５は、平面視ドーナツ形状に形成されてなる面に限られるものではなく、ボールを受け止める限度において、様々な形状の面を採用することができる。すなわち、天面１３５は、曲面であっても、角を有する形状であってもよく、筒体１１０の内周と天面１３５との間にボールが通ることができる大きさの孔が開いていなければよい。
【００４７】
例えば、受止部１３０は、天面１３５を有してなるものであればよく、さまざまな形状で実現することができる。本実施形態においては、円柱形状の受止部１３０を用いたが、例えば、上方を頂点とする円錐形状、上方を面積の小さい平坦面とする円錐台形状、三角錐形状、四角錐形状、ドーム状、御椀状、下方に開いた断面コの字状の筒体、天面と一体として形成されてなる板体、中実、中空等の種々の形状とすることができる。
【００４８】
また、例えば、受止部１３０は発音板によって実現してもよい。この場合、本考案の受止部１３０を筒体１１０内部で上下に移動させて、所望の位置で固定させることができる構成と相まって、ボールが筒体１１０内部に落下した際の音を変化させることができる。
すなわち、筒体１１０の上端から天面１３５までの深さが浅い場合にあっては、小さくかつ高いボールの落下音を、筒体１１０の上端から天面１３５までの深さが深い場合にあっては、大きくかつ低いボールの落下音を発生させることができる。
したがって、ユーザーの好みの音が発生する高さに受止部１３０を保持することで、カップイン時の快感を従来よりも大きなものとすることができる。
【００４９】
例えば、本実施形態では第一ねじ部１４１として雄ねじ１４２を用いたが、雄ねじ１４２に限られる必要はなく、第一ねじ部１４１を雌ねじによって実現してもよい。
この場合にあっては、第二ねじ部１４６を雄ねじによって実現する必要がある。具体的には、受止部１３０及び天面１３５の平面視中心に、第一ねじ部１４１として受止部１３０及び天面１３５を貫通した雌ねじ孔が形成されてなり、底部１２０の上面の平面視中心から、上方に向って雄ねじが突設されてなり、該雄ねじが該雌ねじ孔に挿入されて螺合する構成によって実現してもよい。
さらに例えば、第一ねじ部１４１として雌ねじを用いる例として、受止部１３０の下面の底面視中心に下方に向って突設されてなり、下端が開口されてなる筒体が突設されてなり、該筒体の内周面には雌ねじを形成するねじ山が形成されてなり、底部１２０の平面視中心に上方に向って該雌ねじと螺合可能な雄ねじが突設されてなる構成によって実現してもよい。
【００５０】
例えば、本実施形態では第二ねじ部１４６として底部１２０に貫通孔１２１が形成されてなる構成を用いたが、貫通孔１２１に限られる必要はなく、例えば、底部１２０の平面視中心に上方に向って突設されてなり、上端が開口されてなる筒体が突設されてなり、該筒体の内周面には、第一ねじ部１４１である雄ねじ１４２と螺合可能なねじ山が形成されてなる構成によって実現してもよい。
【００５１】
例えば、本実施形態では、第一ねじ部１４１が受止部１３０の下側面の底面視中心から、下方に突出してなる構成を用いたが、第一ねじ部１４１は、厳密に中心に配設されてなる構成に限られる必要はない。すなわち、第一ねじ部１４１を軸として筒体１１０内部で受止部１３０が回動可能となる中心付近の位置に第一ねじ部１４１が配設されれば、上記種々の効果を奏することができる。
【符号の説明】
【００５２】
１０１  ホールカップ
１１０  筒体
１２０  底部
１２１  貫通孔
１３０  受止部
１３１  受止本体部
１３５  天面
１３６  スティック孔
１４１  第一ねじ部
１４２  雄ねじ
１４６  第二ねじ部
１４７  雌ねじ
１６０  ナット部品
Ｆ      フラッグスティック
【図１】
0003226460.tif 000003
【図２】
0003226460.tif 000004
【図３】
0003226460.tif 000005
【図４】
0003226460.tif 000006
【図５】
0003226460.tif 000007
【図６】
0003226460.tif 000008